(57)【特許請求の範囲】
【請求項１】
通帳に個人画像を印刷する印刷手段を有する通帳印刷システムにおいて、
個人画像を取り込む画像取込手段を有し、
前記画像取込手段により取り込んだ複数の個人画像から選択した個人画像を前記印刷手段により通帳の所定位置に印刷し、
印刷される個人画像は、旧通帳の記憶手段から読取った個人画像と顧客が持参した写真を画像読取手段で読取った個人画像の中からいずれかが選択されることを特徴とする通帳印刷システム。
【請求項２】
通帳繰越時に、前記選択した個人画像を前記印刷手段により新通帳の表紙に印刷する請求項１記載の通帳印刷システム。
【請求項３】
前記画像取込手段により取り込まれた個人画像を表示する表示手段と、
前記表示手段により表示された個人画像を修正する画像修正手段とを有する請求項１または請求項２記載の通帳印刷システム。
【発明の詳細な説明】
【技術分野】
【０００１】
本発明は、通帳に個人画像を印刷する通帳印刷システムに関し、特に通帳に顧客の希望する個人画像を印刷する通帳印刷システムに関する。
【背景技術】
【０００２】
従来、銀行などの金融機関で広く使用されている自動取引装置においては、顧客に対して通帳を発行する通帳発行機能を具備するものがある。こうした自動取引装置には、通帳を発行する際に通帳の表紙に顧客の好みの絵柄などを印刷するようにしたものがある。例えば顧客が持参した写真やイラストなどの個人画像をイメージスキャナで読取り、読取った個人画像を通帳の表紙にカラー印刷して通帳を発行するようにしている。このような個人画像の印刷機能を具備した自動取引装置としては、例えば特開２０００−１３２７３０号公報に開示されたものがある。
【０００３】
また自動取引装置以外の従来における通帳印刷システムとしては、顧客が通帳に印刷したい写真などの画像をイメージスキャナやＣＣＤカメラで取得し、画像処理装置で編集した後、背景パターンと合成した画像データを通帳の表紙に印刷するものがあり、こうした印刷システムは例えば特開２００１−６９３３９号公報に開示されている。
【先行技術文献】
【特許文献】
【０００４】
【特許文献１】特開２０００−１３２７３０号公報
【特許文献２】特開２００１−６９３３９号公報
【発明の概要】
【発明が解決しようとする課題】
【０００５】
近年、子供や孫などのために銀行口座を開設し、その口座の通帳に子供や孫の写真を印刷するサービスが提案されている。しかしながら従来の通帳印刷システムにおいては、写真を通帳の表紙に印刷するというものであったので、例えば、顧客が通帳に印刷してある写真を他の写真に変えたいという場合、通帳の繰越時まで待たなければならないか、あるいは通帳の記帳が満杯にならない状態で次の新通帳を発行することになる。そのため顧客の要望に即座に応えられないという問題または通帳の無駄が発生するという問題が生ずる。
【０００６】
また新通帳を発行して表紙の写真を変えた場合、その新通帳には新たな写真しか印刷されていないので、顧客が以前の写真を見たくてもその新通帳では見ることができず、古い通帳で見なくてはならない。取り替えた写真の全てを見られるようにするためには、全ての通帳を保管しておかなければならず、通帳の保管も煩雑になる。
【０００７】
そこで本発明は、子供や孫の成長に合わせて撮影された複数の写真などの個人画像を記念として通帳に残しておきたいという顧客の要望に応えられる通帳印刷システムを提供することを目的とする。
【課題を解決するための手段】
【０００８】
上記課題を解決するために本発明は、通帳に個人画像を印刷する印刷手段を有する通帳印刷システムにおいて、個人画像を取り込む画像取込手段を有し、前記画像取込手段により取り込んだ複数の個人画像から選択した個人画像を前記印刷手段により通帳の所定位置に印刷し、印刷される個人画像は、旧通帳の記憶手段から読取った個人画像と顧客が持参した写真を画像読取手段で読取った個人画像の中からいずれかが選択されることを特徴とするものである。
【０００９】
画像取込手段は、個人画像を読取る画像読取手段とする。また画像取込手段は、通帳に設けられた複数の個人画像を記憶可能な記憶手段から個人画像を読出す画像読出手段とする。
【発明の効果】
【００１０】
本発明によれば、画像取込手段により取り込んだ複数の個人画像から選択した個人画像を通帳の所定位置に印刷するようにしたので、通帳の所定位置に個人画像を保持させることが可能となる。
【図面の簡単な説明】
【００１１】
【図１】実施例１の通帳印刷システムを示す概略構成図である。
【図２】パーソナルコンピュータを示す制御ブロック図である。
【図３】実施例のアダプタを示す説明図である。
【図４】実施例１の動作を示すフローチャートである。
【図５】表紙印刷処理動作を示すフローチャートである。
【図６】取込み画像の表示例を示す説明図である。
【図７】個人画像を印刷した通帳を示す説明図である。
【図８】見返し印刷処理動作を示すフローチャートである。
【図９】見返し印刷処理動作を示すフローチャートである。
【図１０】見返し印刷処理動作を示すフローチャートである。
【図１１】個人画像を印刷した通帳の見返し部を示す説明図である。
【図１２】実施例２の通帳印刷システムを示す概略構成図である。
【図１３】実施例２で使用する通帳を示す説明図である。
【図１４】実施例２の動作を示すフローチャートである。
【図１５】実施例２の見返し印刷処理動作を示すフローチャートである。
【図１６】実施例２の見返し印刷処理動作を示すフローチャートである。
【図１７】実施例２の見返し印刷処理動作を示すフローチャートである。
【発明を実施するための形態】
【００１２】
以下、本発明の実施例を図面にしたがって説明する。各図面に共通する要素には同一の符号を付す。図１は実施例１の通帳印刷システムを示す概略構成図である。
【実施例１】
【００１３】
図１において、実施例１の通帳印刷システム１は、パーソナルコンピュータ２と、イメージスキャナ３およびプリンタ４とで構成される。パーソナルコンピュータ２は金融機関により管理維持され、処理すべき情報の入力を行うためのキーボード部５、情報を表示する液晶カラーディスプレイである表示部６および本体部７から構成される。
【００１４】
本体部７は外部装置との接続口を有し、イメージスキャナ３およびプリンタ４とインタフェースケーブル８、９によりそれぞれ接続されている。また本体部７は情報記録媒体としてのＵＳＢ（ユニバーサルシリアルバス）メモリ１０、光ディスク１１あるいはディジタルカメラ１２が接続可能であり、これらの記録媒体が接続されるとこれらの媒体に電子的に格納されている情報を読み出すことが可能である。
【００１５】
イメージスキャナ３は、写真１３に対してカラーイメージの読み取りを行うものである。読取ったイメージ画像はパーソナルコンピュータ２の本体部７に送信される。写真１３の画像は、例えば顧客の子供あるいは孫の顔画像や上半身または全身の画像で、成長の証として残しておきたいと顧客が望んだものが使用される。メモリ１０、光ディスク１１あるいはディジタルカメラ１２に記録されている画像も同様である。
【００１６】
プリンタ４は所定の操作により文字情報およびイメージ情報を印刷出力する。印刷方式としてはインクジェット方式または熱転写方式を採用するが、印刷媒体の搬送方式は、光ディスクへの印刷が可能な水平搬送方式を採る。プリンタ４の前面側部には、印刷媒体の装着が可能なように装着口１５が設けられている。装着口１５にはアダプタ１６が装着可能となっており、アダプタ１６には凹部１７が形成されており、この凹部１７に印刷を行おうとする通帳Ｐがセットされる。
【００１７】
本実施の形態ではイメージスキャナ３とプリンタ４を動作させるためのプログラム等はプリンタ４内およびパーソナルコンピュータ２の本体部７内に予めローディングしてある。本実施の形態では上述のようにパーソナルコンピュータ２、イメージスキャナ３およびプリンタ４を別々の装置として設けているが、イメージスキャナ機能、プリンタ機能および情報記録媒体から直接的に情報を取り込み可能な機能を備えた多機能プリンタを設けるようにしてもよい。
【００１８】
図２はパーソナルコンピュータを示す制御ブロック図である。図２において、パーソナルコンピュータ２には、画像編集部２１、表示部６、キーボード部５、制御部２２、外部インタフェース部２３、メモリ部２４および電源部２５が設けられている。これらのうち表示部６およびキーボード部５以外は本体部７に設けられている。
【００１９】
画像編集部２１は、例えば、顧客が持参した写真１３をイメージスキャナ３で走査して画像データを取得し、取得した画像データの切り出し、拡大、縮小、合成等の編集を行い、編集したデータを印刷画像データとしてメモリ部２４に格納する。表示部６およびキーボード部５は上述した。制御部２２はパーソナルコンピュータ２、イメージスキャナ３およびプリンタ４の動作全体を制御するもので、上記の各部とは内部バス２６により接続され、イメージスキャナ３およびプリンタ４とは外部インタフェース２３を介して接続されている。メモリ部２４は、上述したように、写真１３からイメージスキャナ３で画像を読み取り、さらに画像編集部２１で処理した画像データ等を格納するものである。また電源部２５はパーソナルコンピュータ２内の各部に電源を供給する。
【００２０】
図３は実施例のアダプタを示す説明図であり、図３（ａ）は通帳が装着された状態のアダプタの平面図、図３（ｂ）は図３（ａ）のＡ−Ａ断面図、図３（ｃ）は図３（ａ）のＢ−Ｂ断面図である。図３において、アダプタ１６は表面部（上層部）３１、通帳保持部（中層部）３２、台紙（下層部）３３を重ねて固着した状態で構成される。
【００２１】
表面部３１には、見開き状態の通帳Ｐのほぼ半分の大きさの切欠き３１ａが形成され、切欠き３１ａの角部には通帳規制部３１ｂが形成されている。また表面部３１の装着方向先端側には、アダプタ１６のプリンタ４への装着方向を示す矢印マーク３１ｃが表示されている。切欠き３１ａの内部に印刷領域３４が設定される。
【００２２】
通帳保持部３２には、見開き状態の通帳Ｐが入る大きさの孔部３２ａが形成されており、この孔部３２ａに見開き状態の通帳Ｐがセットされる。孔部３２ａの半分（図３（ａ）における上側半分）は上述の切欠き３１ａと対向しており、孔部３２ａにセットされた通帳Ｐは切欠き３１ａを通して表面部３１側に露出している。孔部３２ａの図３（ａ）における下側半分に対向する表面部３１は、通帳Ｐの規制部３１ｄを構成する。台紙３３には印刷領域３４に対向する位置に２個の抜孔３３ａが形成されている。
【００２３】
次に実施例１の動作を図４に示すフローチャートに従って説明する。図４は実施例１の動作を示すフローチャートである。本実施例では、顧客が持参した個人画像が通帳に印刷される場合を説明する。顧客が個人画像を持ち込む方法としては、例えばリムーバブル媒体として図１に示すＵＳＢメモリ１０、光ディスク１１あるいはディジタルカメラ１２などがあるが、ここでは通帳Ｐに印刷する個人画像情報としてカラーの写真１３が持ち込まれた場合について説明する。
【００２４】
まず銀行のテラーは本システムのパーソナルコンピュータ２、イメージスキャナ３およびプリンタ４に電源を投入する（ステップ１）。銀行の窓口に顧客が現れると、テラーは顧客に対して、新規に通帳を発行するのかあるいは持参した通帳に個人画像の印刷を行うのかを尋ねる。新規に通帳を発行する場合は、テラーは別途の通帳発行装置により新通帳を発行する（ステップ２、３）。
【００２５】
新通帳の発行処理が行われると、テラーが通帳Ｐを手にして顧客を呼び出す。そして新通帳の表紙に顧客が持参した写真の個人画像を印刷する表紙印刷処理を行う（ステップ４）。この表紙印刷処理については後に詳述する。表紙印刷処理が終了すると、個人画像が印刷された新通帳を顧客に渡す。
【００２６】
一方、持参した通帳に個人画像の印刷を行う場合は、ステップ６へ移行し、見返し印刷処理を行う。この見返し印刷処理についても詳細は後述する。通帳が顧客に返却されると、テラーがキーボード部５により処理終了を意味する入力を行い、パーソナルコンピュータ２を待機状態にして通帳印刷システムを終了する（ステップ５）。
【００２７】
〈表紙印刷処理〉
次に上記ステップ４の表紙印刷処理について図５のフローチャートに従って説明する。図５は表紙印刷処理動作を示すフローチャートである。新規に発行された通帳Ｐを手にしたテラーは、呼び出された顧客に対し、写真等の個人画像を持参したかどうか、持参しない場合にはシステムに予め登録してある画像を使用するかどうかを問い合わせる。システムに予め登録してある画像を使用する場合には、テラーはパーソナルコンピュータ２を操作し（ステップ１１）、表紙印刷画像を生成する（ステップ１２）。
【００２８】
顧客が個人画像の写真１３を持参した場合、テラーは、まずイメージスキャナ３により顧客の持参した写真１３の個人画像を読み取り、読取った画像データをパーソナルコンピュータ２に取り込む（ステップ１３）。このように本実施の形態ではイメージ画像の取り込みはパーソナルコンピュータ２からの指示で行うが、イメージスキャナ３を操作して画像を取り込むようにしてもよい。
【００２９】
写真１３の画像が取り込まれると、画像編集部２１により写真１３の個人画像が表示部６にカラー表示される（ステップ１４）。表示された画像の例を図６に示す。図６は取込み画像の表示例を示す説明図である。表示されたイメージ画像３６について、テラーは顧客に修正の希望があるか否かを訊く。即ち、画像の拡大や部分切り出し、あるいは配色（色相、色彩等）を修正するか、さらには似顔絵に書き換えるかなどを顧客に問う。顧客から修正希望の回答があった場合、テラー操作により顧客の希望する画像になるようにイメージ画像に修正を加える（ステップ１５、１６）。これらの画像修正は画像編集部２１で行われ、修正後の画像は表示部６に表示されて顧客により確認された後、メモリ部２４に格納される。
【００３０】
次にテラーは印刷準備指示を行う。これにより制御部２２は、表示部６に対して、通帳Ｐをアダプタ１６にセットする仕方を表示するよう指示する（ステップ１７）。ここで、通帳の表表紙が印刷領域３４でかつ上側になるように通帳Ｐをアダプタ１６の孔部３２ａにセットする模様が表示部６に表示される。テラーはアダプタ１６を取り出し、表示部６を見ながらアダプタ１６の孔部３４に発行された通帳Ｐを嵌め込む。
【００３１】
テラーは通帳Ｐが嵌め込まれたアダプタ１６をプリンタ４の装着口１５に装着する。プリンタ４は図示しない検知センサによりアダプタ１６の装着を検知する（ステップ１８）。次にテラーは、プリンタ４に対して写真１３の個人画像を印刷する指示を発信する（ステップ１９）。
【００３２】
プリンタ４は個人画像の印刷指示を受信すると、送られてきた個人画像情報をプリンタ４内の図示しないメモリに格納するとともに、装着されたアダプタ１６の吸入搬送を開始する（ステップ２０）。この吸入搬送は、アダプタ１６の先端部を図示しない光学センサで検出することにより搬送管理され、アダプタ１６は印刷位置へ搬送される。
【００３３】
アダプタ１６が印刷開始位置へ搬送されると、図示しないメモリに格納された個人画像情報の出力を開始する。プリンタ４は所定のカラーレベルに応じて図示しない印刷ヘッドに配してあるカラーインクノズルを制御し、通帳Ｐの表表紙に対して個人画像のカラー印刷を行う（ステップ２１）。
【００３４】
通帳Ｐへの個人画像の印刷が終了すると、プリンタ４はパーソナルコンピュータ２に対して印刷終了信号を送信する。印刷終了信号を受信した制御部２２は、メモリ部２４から排出時間情報を読み出し、この排出時間が経過したらアダプタ１６の排出指示を出す。プリンタ４はこの排出指示を受け取ると、アダプタ１６を排出する（ステップ２２）。
【００３５】
排出されたアダプタ１６はプリンタ４から取り外され、テラーはアダプタ１６から通帳Ｐを抜き出して個人画像の印刷状態を目視確認する。印刷状態が良好であれば顧客に通帳Ｐを手渡す。図７は個人画像を印刷した通帳を示す説明図である。図７は通帳Ｐの表表紙を示しており、表表紙Ｐ１の所定の位置に個人画像３６がカラー印刷されている。以上により新通帳Ｐの表表紙への個人画像の印刷を終了する。
【００３６】
〈見返し印刷処理〉
次に図４のフローチャートのステップ７における見返し印刷処理を図８乃至図１０に示すフローチャートにしたがって説明する。顧客が通帳Ｐを持参した場合、テラーは顧客に対して通帳への個人画像の印刷を希望するか否かを口頭にて確認する。以下では顧客が個人画像の印刷を希望した場合について説明するが、ここで顧客が印刷は不要である旨の回答をした場合、または写真や他の画像記録媒体を持参していなかった場合には、後日でも個人画像の印刷は可能である旨を顧客に告げ、通帳Ｐへの個人画像の印刷は行われない。
【００３７】
次にテラーは、通帳Ｐに繰越処理が必要なのか否か確認する（ステップ３１）。通帳繰越が必要な場合は図９、図１０のフローチャートに示すステップへ移行し、新通帳発行処理および新通帳の表紙への個人画像の印刷および表紙の見返し部への個人画像の印刷を行う。繰越処理が不要な場合はステップ３２に移行する。
【００３８】
ステップ３２において、テラーは、まずイメージスキャナ３により顧客の持参した写真１３の個人画像を読み取り、読取った個人画像データをパーソナルコンピュータ２に取り込む。写真１３の個人画像が取り込まれると、画像編集部２１により写真１３の個人画像が表示部６にカラー表示される（ステップ３３）。表示されたイメージ画像について、テラーは顧客に修正の希望があるか否かを訊く。即ち、画像の拡大や部分切り出し、あるいは配色（色相、色彩等）を修正するか、さらには似顔絵に書き換えるかなどを顧客に問う。
【００３９】
顧客から修正希望の回答があった場合、テラー操作により顧客の希望する画像になるようにイメージ画像に修正を加える（ステップ３４、３５）。これらの画像修正は画像編集部２１で行われ、修正後の画像は表示部６に表示されて顧客により確認された後、メモリ部２４に格納される。
【００４０】
次にテラーは印刷準備指示を行う。これにより制御部２２は、表示部６に対して、通帳Ｐをアダプタ１６にセットする仕方を表示するよう指示する（ステップ３６）。この場合、通帳の表紙の見返し部が印刷領域３４でかつ上側になるように通帳Ｐをアダプタ１６の孔部３２ａにセットする模様が表示部６に表示される。テラーはアダプタ１６を取り出し、表示部６を見ながらアダプタ１６の孔部３２ａに発行された通帳Ｐを嵌め込む。
【００４１】
テラーは通帳Ｐが嵌め込まれたアダプタ１６をプリンタ４の装着口１５に装着する。プリンタ４は図示しない検知センサによりアダプタ１６の装着を検知する（ステップ３７）。次にテラーは、プリンタ４に対して写真１３の個人画像を印刷する指示を発信する（ステップ３８）。
【００４２】
プリンタ４は個人画像の印刷指示を受信すると、送られてきた個人画像情報をプリンタ４内の図示しないメモリに格納するとともに、装着されたアダプタ１６の吸入搬送を開始する（ステップ３９）。この吸入搬送は、アダプタ１６の先端部を図示しない光学センサで検出することにより搬送管理され、アダプタ１６は印刷位置へ搬送される。
【００４３】
アダプタ１６が印刷開始位置へ搬送されると、図示しないメモリに格納された個人画像の出力を開始する。プリンタ４は所定のカラーレベルに応じて図示しない印刷ヘッドに配してあるカラーインクノズルを制御し、通帳Ｐの表表紙の見返し部に対して個人画像のカラー印刷を行う（ステップ４０）。
【００４４】
通帳Ｐの見返し部への画像の印刷が終了すると、プリンタ４はパーソナルコンピュータ２に対して印刷終了信号を送信する。印刷終了信号を受信した制御部２２は、メモリ部２４から排出時間情報を読み出し、この排出時間が経過したらアダプタ１６の排出指示を出す。プリンタ４はこの排出指示を受け取ると、アダプタ１６を排出する（ステップ４１）。
【００４５】
排出されたアダプタ１６はプリンタ４から取り外され、テラーはアダプタ１６から通帳Ｐを抜き出して個人画像の印刷状態を目視確認する。印刷状態が良好であれば顧客に通帳Ｐを手渡す。図１１は個人画像を印刷した通帳の見返し部を示す説明図である。図１１において、表表紙Ｐ１の見返し部Ｐ１１には、複数の縮小された個人画像３６が整列状態でカラー印刷されている。今回印刷した個人画像３６ａは列の最後に印刷される。以上により新通帳Ｐの表表紙の見返し部への個人画像の印刷を終了する。
【００４６】
図９において、上記ステップ３１において通帳の繰越処理が必要とされた場合、新通帳を発行する処理を行う（ステップ４２）。次にテラーは、繰越前の通帳（旧通帳）の表表紙に印刷されている個人画像をイメージスキャナ３によりパーソナルコンピュータ２に取り込む操作を行う（ステップ４３）。さらにテラーは、イメージスキャナ３により顧客の持参した写真１３の個人画像を読み取り、読取った画像データをパーソナルコンピュータ２に取り込む（ステップ４４）。
【００４７】
旧通帳の個人画像および写真１３の個人画像が取り込まれると、画像編集部２１により写真１３の個人画像が表示部６にカラー表示される（ステップ４５）。表示されたイメージ画像について、テラーは顧客に修正の希望があるか否かを訊く。即ち、画像の拡大や部分切り出し、あるいは配色（色相、色彩等）を修正するか、さらには似顔絵に書き換えるかなどを顧客に問う。
【００４８】
顧客から修正希望の回答があった場合、テラー操作により顧客の希望する画像になるようにイメージ画像に修正を加える（ステップ４６、４７）。これらの画像修正は画像編集部２１で行われ、修正後の画像は表示部６に表示されて顧客により確認された後、メモリ部２４に格納される。
【００４９】
ここでテラーは、旧通帳の表表紙の個人画像と持参した写真１３の個人画像のどちらを新通帳の表表紙に印刷するかを顧客に問い合わせ、顧客の希望する方の個人画像を新通帳の表表紙に印刷する指示を行う。同時に新通帳の表表紙に印刷しない方の個人画像を新通帳の表表紙の見返し部にある複数の印刷エリアのうちのどのエリアに印刷するかを指示する（ステップ４８）。
【００５０】
次にテラーは印刷準備指示を行う。これにより制御部２２は、表示部６に対して、通帳Ｐをアダプタ１６にセットする仕方を表示するよう指示する。この場合、通帳の表表紙が印刷領域３４でかつ上側になるように通帳Ｐをアダプタ１６の孔部３２ａにセットする模様が表示部６に表示される（ステップ４９）。テラーはアダプタ１６を取り出し、表示部６を見ながらアダプタ１６の孔部３２ａに発行された通帳Ｐを嵌め込む。
【００５１】
テラーは通帳Ｐが嵌め込まれたアダプタ１６をプリンタ４の装着口１５に装着する。プリンタ４は図示しない検知センサによりアダプタ１６の装着を検知する（ステップ５０）。次にテラーは、プリンタ４に対して顧客の希望した個人画像を印刷する指示を発信する（ステップ５１）。
【００５２】
プリンタ４は個人画像の印刷指示を受信すると、送られてきた画像情報をプリンタ４内の図示しないメモリに格納するとともに、装着されたアダプタ１６の吸入搬送を開始する（ステップ５２）。この吸入搬送は、アダプタ１６の先端部を図示しない光学センサで検出することにより搬送管理され、アダプタ１６は印刷位置へ搬送される。
【００５３】
アダプタ１６が印刷開始位置へ搬送されると、図示しないメモリに格納された個人画像の出力を開始する。プリンタ４は所定のカラーレベルに応じて図示しない印刷ヘッドに配してあるカラーインクノズルを制御し、通帳Ｐの表表紙に対して個人画像のカラー印刷を行う（ステップ５３）。
【００５４】
通帳Ｐの表表紙への個人画像の印刷が終了すると、プリンタ４はパーソナルコンピュータ２に対して印刷終了信号を送信する。印刷終了信号を受信した制御部２２は、メモリ部２４から排出時間情報を読み出し、この排出時間が経過したらアダプタ１６の排出指示を出す。プリンタ４はこの排出指示を受け取ると、アダプタ１６を排出する（ステップ５４）。排出されたアダプタ１６はプリンタ４から取り外され、テラーはアダプタ１６から通帳Ｐを抜き出して個人画像の印刷状態を目視確認する。
【００５５】
通帳Ｐの表表紙への個人画像の印刷が終了すると、つぎに表示部６に、通帳Ｐをアダプタ１６にセットする仕方を表示するよう指示する。この場合は、通帳の表表紙の見返し部が印刷領域３４でかつ上側になるように通帳Ｐをアダプタ１６の孔部３２ａにセットする模様が表示部６に表示される（ステップ５５）。テラーはアダプタ１６を取り出し、表示部６を見ながらアダプタ１６の孔部３２ａに発行された通帳Ｐを嵌め込む。
【００５６】
テラーは通帳Ｐが嵌め込まれたアダプタ１６をプリンタ４の装着口１５に装着する。プリンタ４は図示しない検知センサによりアダプタ１６の装着を検知する（ステップ５６）。次にテラーは、プリンタ４に対して顧客の希望した個人画像を印刷する指示を発信する（ステップ５７）。
【００５７】
プリンタ４は個人画像の印刷指示を受信すると、送られてきた画像情報をプリンタ４内の図示しないメモリに格納するとともに、装着されたアダプタ１６の吸入搬送を開始する（ステップ５８）。この吸入搬送は、アダプタ１６の先端部を図示しない光学センサで検出することにより搬送管理され、アダプタ１６は印刷位置へ搬送される。
【００５８】
アダプタ１６が印刷開始位置へ搬送されると、図示しないメモリに格納された個人画像の出力を開始する。プリンタ４は所定のカラーレベルに応じて図示しない印刷ヘッドに配してあるカラーインクノズルを制御し、通帳Ｐの表表紙の見返し部に対して個人画像のカラー印刷を行う（ステップ５９）。
【００５９】
通帳Ｐの表表紙の見返し部への個人画像の印刷が終了すると、プリンタ４はパーソナルコンピュータ２に対して印刷終了信号を送信する。印刷終了信号を受信した制御部２２は、メモリ部２４から排出時間情報を読み出し、この排出時間が経過したらアダプタ１６の排出指示を出す。プリンタ４はこの排出指示を受け取ると、アダプタ１６を排出する（ステップ６０）。排出されたアダプタ１６はプリンタ４から取り外され、テラーはアダプタ１６から通帳Ｐを抜き出して個人画像の印刷状態を目視確認する。
【００６０】
以上のように本実施例によれば、通帳繰越時に、繰越前の旧通帳の表紙に印刷されていた顧客の子供や孫の個人画像を新通帳の表紙の見返し部に印刷することができるとともに、新たに顧客が持参した個人画像を新通帳の表紙に印刷できるようにしたので、ひとつの通帳で古い個人画像と新しい個人画像の両方を参照することが可能となる。
【００６１】
また通帳繰越時に限らず、顧客が個人画像を持参すれば通帳の見返し部に個人画像を印刷することができるので、通帳の個人画像を追加するために銀行の店舗に顧客が来店する機会が増えることが期待され、また顧客に対するサービスの向上につながる。
【００６２】
また通帳繰越時に新通帳に印刷される個人画像は、顧客が持参した記録媒体または旧通帳からイメージスキャナ３で読取るようにしているので、システム自体に個人画像情報を保持しておらず、個人情報である個人画像がシステム内に残ることはないので、情報管理に特に配慮する必要がないという利点もある。
【実施例２】
【００６３】
次に実施例２の形態を説明する。図１２は実施例２の通帳印刷システムを示す概略構成図である。図１２において、実施例２の通帳印刷システム４１は、実施例１のそれと同様に、パーソナルコンピュータ２、イメージスキャナ３およびプリンタ４で構成されている。パーソナルコンピュータ２には、ＩＣチップの情報を読み書きするリーダライタ装置４２が接続されている。また本実施例では、図１３に示すように、通帳Ｐｉの表紙Ｐｉ１にＩＣチップ４３が具備されており、したがってアダプタ１６にセットされる通帳ＰｉはＩＣチップ４３を具備したものである。その他の構成は実施例１と同様である。
【００６４】
次に図１４に示すフローチャートに従って実施例２の動作を説明する。図１４は実施例２の動作を示すフローチャートである。本実施例でも、顧客が持参した個人画像が通帳に印刷されるものとする。まず銀行のテラーは本システムのパーソナルコンピュータ２、イメージスキャナ３およびプリンタ４に電源を投入する（ステップ６１）。銀行の窓口に顧客が現れると、テラーは顧客に対して、新規に通帳を発行するのかあるいは持参した通帳に個人画像の印刷を行うのかを尋ねる。新規に通帳を発行する場合は、テラーは別途の通帳発行装置により新通帳を発行する（ステップ６２、６３）。
【００６５】
新通帳の発行処理が行われると、テラーが通帳Ｐｉを手にして顧客を呼び出す。そして新通帳の表紙に顧客が持参した写真の個人画像を印刷する表紙印刷処理を行う（ステップ６４）。表紙印刷処理が終了すると、リーダライタ装置４２により通帳Ｐｉに具備されるＩＣチップ４３に通帳Ｐｉの表表紙および見返し部に印刷した個人画像情報を保存する（ステップ６５）。そして個人画像が印刷された新通帳を顧客に渡す。
【００６６】
一方、持参した通帳に個人画像の印刷を行う場合は、ステップ６７へ移行し、見返し印刷処理を行う。この見返し印刷処理については詳細は後述する。通帳が顧客に返却されると、テラーがキーボード部５により処理終了を意味する入力を行い、パーソナルコンピュータ２を待機状態にして通帳印刷システムを終了する（ステップ６６）。
【００６７】
上記ステップ６４における表紙印刷処理については実施例１と同様であるのでその説明は省略する。
【００６８】
〈見返し印刷処理〉
次に図１４のフローチャートのステップ６７における見返し印刷処理を図１５乃至図１７に示すフローチャートにしたがって説明する。顧客が通帳Ｐｉを持参した場合、テラーは顧客に対して通帳への個人画像の印刷を希望するか否かを口頭にて確認する。以下では顧客が個人画像の印刷を希望した場合について説明するが、ここで顧客が印刷は不要である旨の回答をした場合、または写真や画像記録媒体を持参していなかった場合には、後日でも個人画像の印刷は可能である旨を顧客に告げ、通帳Ｐｉへの個人画像の印刷は行われない。
【００６９】
次にテラーは、通帳Ｐｉに繰越処理が必要なのか否か確認する（ステップ７１）。通帳繰越が必要な場合は図１６、図１７のフローチャートに示すステップへ移行し、新通帳発行処理および新通帳の表紙への個人画像の印刷および表紙の見返し部への個人画像の印刷を行う。繰越処理が不要な場合はステップ７２に移行する。
【００７０】
ステップ７２において、テラーは、まずイメージスキャナ３により顧客の持参した写真１３の個人画像を読み取り、読取った個人画像データをパーソナルコンピュータ２に取り込む。写真１３の個人画像が取り込まれると、画像編集部２１により写真１３の個人画像が表示部６にカラー表示される（ステップ７３）。表示されたイメージ画像について、テラーは顧客に修正の希望があるか否かを訊く。即ち、画像の拡大や部分切り出し、あるいは配色（色相、色彩等）を修正するか、さらには似顔絵に書き換えるかなどを顧客に問う。
【００７１】
顧客から修正希望の回答があった場合、テラー操作により顧客の希望する画像になるようにイメージ画像に修正を加える（ステップ７４、７５）。これらの画像修正は画像編集部２１で行われ、修正後の画像は表示部６に表示されて顧客により確認された後、メモリ部２４に格納される。
【００７２】
次にテラーは印刷準備指示を行う。これにより制御部２２は、表示部６に対して、通帳Ｐｉをアダプタ１６にセットする仕方を表示するよう指示する（ステップ７６）。この場合、表の表紙の見返し部が印刷領域３４でかつ上側になるように通帳Ｐｉをアダプタ１６の孔部３２ａにセットする模様が表示部６に表示される。テラーはアダプタ１６を取り出し、表示部６を見ながらアダプタ１６の孔部３２ａに発行された通帳Ｐｉを嵌め込む。
【００７３】
テラーは通帳Ｐｉが嵌め込まれたアダプタ１６をプリンタ４の装着口１５に装着する。プリンタ４は図示しない検知センサによりアダプタ１６の装着を検知する（ステップ７７）。次にテラーは、プリンタ４に対して写真１３の個人画像を印刷する指示を発信する（ステップ７８）。
【００７４】
プリンタ４は個人画像の印刷指示を受信すると、送られてきた個人画像情報をプリンタ４内の図示しないメモリに格納するとともに、装着されたアダプタ１６の吸入搬送を開始する（ステップ７９）。この吸入搬送は、アダプタ１６の先端部を図示しない光学センサで検出することにより搬送管理され、アダプタ１６は印刷位置へ搬送される。
【００７５】
アダプタ１６が印刷開始位置へ搬送されると、図示しないメモリに格納された個人画像の出力を開始する。プリンタ４は所定のカラーレベルに応じて図示しない印刷ヘッドに配してあるカラーインクノズルを制御し、通帳Ｐｉの表表紙の見返し部に対して個人画像のカラー印刷を行う（ステップ８０）。
【００７６】
通帳Ｐｉの見返し部への画像の印刷が終了すると、プリンタ４はパーソナルコンピュータ２に対して印刷終了信号を送信する。印刷終了信号を受信した制御部２２は、メモリ部２４から排出時間情報を読み出し、この排出時間が経過したらアダプタ１６の排出指示を出す。プリンタ４はこの排出指示を受け取ると、アダプタ１６を排出する（ステップ８１）。
【００７７】
排出されたアダプタ１６はプリンタ４から取り外され、テラーはアダプタ１６から通帳Ｐｉを抜き出して個人画像の印刷状態を目視確認する。印刷状態が良好であれば顧客に通帳Ｐｉを手渡す。印刷結果は図１１に示す実施例１の場合と同様に、複数の縮小された個人画像３６が整列状態でカラー印刷されたその列の最後に、今回印刷した個人画像３６ａが印刷される。以上により新通帳Ｐｉの表表紙の見返し部への個人画像の印刷を終了する。
【００７８】
図１６において、上記ステップ７１において通帳の繰越処理が必要とされた場合、新通帳を発行する処理を行う（ステップ８２）。次にテラーは、リーダライタ装置４２により、繰越前の通帳（旧通帳）に搭載されるＩＣチップ４３に保存されている個人画像情報を読み出す（ステップ８３）。読み出された個人画像情報は制御部２２によりメモリ部２４に格納される。個人画像は複数ある場合があり、ＩＣチップ４３に保存されていた全ての個人画像が読み出されてメモリ部２４に格納される。
【００７９】
次にテラーは、イメージスキャナ３により顧客の持参した写真１３の個人画像を読み取り、読取った画像データをパーソナルコンピュータ２に取り込む（ステップ８４）。
【００８０】
旧通帳の個人画像および写真１３の個人画像が取り込まれると、画像編集部２１により写真１３の個人画像が表示部６にカラー表示される（ステップ８５）。表示されたイメージ画像について、テラーは顧客に修正の希望があるか否かを訊く。即ち、画像の拡大や部分切り出し、あるいは配色（色相、色彩等）を修正するか、さらには似顔絵に書き換えるかなどを顧客に問う。
【００８１】
顧客から修正希望の回答があった場合、テラー操作により顧客の希望する画像になるようにイメージ画像に修正を加える（ステップ８６、８７）。これらの画像修正は画像編集部２１で行われ、修正後の画像は表示部６に表示されて顧客により確認された後、メモリ部２４に格納される。
【００８２】
ここでテラーは、旧通帳のＩＣチップ４３に保存されていた個人画像と持参した写真１３の個人画像のうちどれを新通帳の表表紙に印刷するかを顧客に問い合わせ、顧客の希望する個人画像を新通帳の表表紙に印刷する指示を行う。同時に新通帳の表表紙に印刷しない個人画像を新通帳の表表紙の見返し部にある複数の印刷エリアのうちのどのエリアに印刷するかを指示する（ステップ８８）。
【００８３】
次にテラーは印刷準備指示を行う。これにより制御部２２は、表示部６に対して、通帳Ｐｉをアダプタ１６にセットする仕方を表示するよう指示する。この場合、通帳の表表紙が印刷領域３４でかつ上側になるように通帳Ｐｉをアダプタ１６の孔部３２ａにセットする模様が表示部６に表示される（ステップ８９）。テラーはアダプタ１６を取り出し、表示部６を見ながらアダプタ１６の孔部３２ａに発行された通帳Ｐｉを嵌め込む。
【００８４】
テラーは通帳Ｐｉが嵌め込まれたアダプタ１６をプリンタ４の装着口１５に装着する。プリンタ４は図示しない検知センサによりアダプタ１６の装着を検知する（ステップ９０）。次にテラーは、プリンタ４に対して顧客の希望した個人画像を印刷する指示を発信する（ステップ９１）。
【００８５】
プリンタ４は個人画像の印刷指示を受信すると、送られてきた画像情報をプリンタ４内の図示しないメモリに格納するとともに、装着されたアダプタ１６の吸入搬送を開始する（ステップ９２）。この吸入搬送は、アダプタ１６の先端部を図示しない光学センサで検出することにより搬送管理され、アダプタ１６は印刷位置へ搬送される。
【００８６】
アダプタ１６が印刷開始位置へ搬送されると、図示しないメモリに格納され、顧客の希望により表紙へ印刷するとされた個人画像情報の出力を開始する。プリンタ４は所定のカラーレベルに応じて図示しない印刷ヘッドに配してあるカラーインクノズルを制御し、通帳Ｐｉの表表紙の見返し部に対して個人画像のカラー印刷を行う（ステップ９３）。
【００８７】
通帳Ｐｉの表表紙への個人画像の印刷が終了すると、プリンタ４はパーソナルコンピュータ２に対して印刷終了信号を送信する。印刷終了信号を受信した制御部２２は、メモリ部２４から排出時間情報を読み出し、この排出時間が経過したらアダプタ１６の排出指示を出す。プリンタ４はこの排出指示を受け取ると、アダプタ１６を排出する（ステップ９４）。排出されたアダプタ１６はプリンタ４から取り外され、テラーはアダプタ１６から通帳Ｐを抜き出して個人画像の印刷状態を目視確認する。
【００８８】
通帳Ｐｉの表表紙への個人画像の印刷が終了すると、つぎに表示部６に、通帳Ｐｉをアダプタ１６にセットする仕方を表示するよう指示する。この場合は、通帳の表表紙の見返し部が印刷領域３４でかつ上側になるように通帳Ｐｉをアダプタ１６の孔部３２ａにセットする模様が表示部６に表示される（ステップ９５）。テラーはアダプタ１６を取り出し、表示部６を見ながらアダプタ１６の孔部３２ａに発行された通帳Ｐｉを嵌め込む。
【００８９】
テラーは通帳Ｐｉが嵌め込まれたアダプタ１６をプリンタ４の装着口１５に装着する。プリンタ４は図示しない検知センサによりアダプタ１６の装着を検知する（ステップ９６）。次にテラーは、プリンタ４に対して顧客の希望した個人画像を印刷する指示を発信する（ステップ９７）。
【００９０】
プリンタ４は個人画像の印刷指示を受信すると、送られてきた画像情報をプリンタ４内の図示しないメモリに格納するとともに、装着されたアダプタ１６の吸入搬送を開始する（ステップ９８）。この吸入搬送は、アダプタ１６の先端部を図示しない光学センサで検出することにより搬送管理され、アダプタ１６は印刷位置へ搬送される。
【００９１】
アダプタ１６が印刷開始位置へ搬送されると、図示しないメモリに格納された個人画像の出力を開始する。プリンタ４は所定のカラーレベルに応じて図示しない印刷ヘッドに配してあるカラーインクノズルを制御し、通帳Ｐｉの表表紙の見返し部に対して、ひとつまたは複数の個人画像のカラー印刷を行う（ステップ９９）。
【００９２】
通帳Ｐｉの表表紙の見返し部への個人画像の印刷が終了すると、プリンタ４はパーソナルコンピュータ２に対して印刷終了信号を送信する。印刷終了信号を受信した制御部２２は、メモリ部２４から排出時間情報を読み出し、この排出時間が経過したらアダプタ１６の排出指示を出す。プリンタ４はこの排出指示を受け取ると、アダプタ１６を排出する（ステップ１００）。排出されたアダプタ１６はプリンタ４から取り外され、テラーはアダプタ１６から通帳Ｐｉを抜き出して個人画像の印刷状態を目視確認する。
【００９３】
以上のように実施例２によれば、通帳の個人画像情報を通帳に設けられたＩＣチップに保存しておき、通帳繰越時に旧通帳のＩＣチップから個人画像情報を読み出して新通帳に印刷するようにしたので、表紙の見返し部には複数の個人画像の印刷が可能になり、ひとつの通帳に印刷される個人画像を増やすことができる効果が得られる。
【００９４】
上記各実施例では、独立した装置であるプリンタ４で個人画像を印刷する例を説明したが、通帳への印刷を例えば自動取引装置の通帳処理部で行うようにしてもよい。即ち、自動取引装置に画像読取部を設け、画像読取部で写真などから個人画像を取り込み、取り込んだ個人画像を、通帳処理部に挿入された通帳に印刷するようにし、また通帳繰越の場合には、旧通帳から個人画像を取り込み、取り込んだ個人画像を新通帳に印刷するようにしてもよい。
【００９５】
また上記実施例では、パーソナルコンピュータ２、イメージスキャナ３およびプリンタ４から成るシステムとして説明したが、イメージスキャナ機能、プリンタ機能および情報記録媒体から直接的に情報を取り込み可能な機能を備えた多機能プリンタで通帳への個人画像の印刷を行うようにしてもよい。
【００９６】
また上記各実施例では、通帳に印刷する個人画像として子供や孫の顔写真など顧客にとって思い出となるものを印刷して通帳を一種のアルバムとして使用できるようにしているが、通帳の表紙または見返し部に、顧客本人の顔写真または代理として通帳の許可を許された代理人の顔写真を印刷し、銀行の窓口における本人確認として使用することも可能である。
【符号の説明】
【００９７】
１ 通帳印刷システム
２ パーソナルコンピュータ
３ イメージスキャナ
４ プリンタ
２１ 画像編集部
２２ 制御部
３６ 個人画像
Ｐ、Ｐｉ 通帳
【図１】
0005472357.tif 000002
【図２】
0005472357.tif 000003
【図３】
0005472357.tif 000004
【図４】
0005472357.tif 000005
【図５】
0005472357.tif 000006
【図６】
0005472357.tif 000007
【図７】
0005472357.tif 000008
【図８】
0005472357.tif 000009
【図９】
0005472357.tif 000010
【図１０】
0005472357.tif 000011
【図１１】
0005472357.tif 000012
【図１２】
0005472357.tif 000013
【図１３】
0005472357.tif 000014
【図１４】
0005472357.tif 000015
【図１５】
0005472357.tif 000016
【図１６】
0005472357.tif 000017
【図１７】
0005472357.tif 000018